(57)【要約】【課題】絶縁本体に組合せるモジュール子が金属ケースの仕様の変更に対応して変更することができ、絶縁本体に導電端子を挿入することによる損壊を回避することができ、生産速度を向上することができる。【解決手段】モジュール子と、絶縁本体と、複数の導電端子と、金属ケースと、を含むモジュール式コネクタにおいて、前記モジュール子は、組合方向に沿って伸びているフロント端面と、前記フロント端面に対応するリア端面と、前記フロント端面と前記リア端面とに連接する底面と、を有し、前記絶縁本体は、前記組合溝の内部に組み合われたベース部と、前記ベース部から伸び方向に沿って伸びている舌板と、を含み、前記複数の導電端子は、前記舌板に埋め込まれるように成形された接触部と、前記接触部の一端から伸び出している傾斜部とをそれぞれ含み、前記金属ケースは、前記モジュール子の周面に組み付けられている。【選択図】図４
0003149966.tif 000002
【実用新案登録請求の範囲】
【請求項１】
モジュール子と、絶縁本体と、複数の導電端子と、金属ケースと、を含むモジュール式コネクタにおいて、前記モジュール子は、組合方向に沿って伸びているフロント端面と、前記フロント端面に対応するリア端面と、前記フロント端面と前記リア端面とに連接する底面と、を有し、前記底面の前記フロント端面に近接する箇所では内側に窪んだ組合溝が形成されており、前記フロント端面には前記組合溝と連通する開口が設けられており、前記絶縁本体は、前記組合溝の内部に組み合われたベース部と、前記ベース部から伸び方向に沿って伸びている舌板と、を含み、前記複数の導電端子は、前記舌板に埋め込まれるように成形された接触部と、前記接触部の一端から伸び出している傾斜部と、をそれぞれ含み、前記金属ケースは、前記モジュール子の周面に組み付けられていることを特徴とするモジュール式コネクタ。
【請求項２】
更に、定位子を含み、前記定位子には前記傾斜部の少なくとも一部が埋め込まれていることを特徴とする、請求項１に記載のモジュール式コネクタ。
【請求項３】
前記底面の前記リア端面に近接する箇所では内側に窪んだ定位溝が形成されており、前記定位溝が前記組合溝と連通していることを特徴とする、請求項１に記載のモジュール式コネクタ。
【請求項４】
前記定位溝の底部には、傾斜方向に沿って傾斜している傾斜面が設けられていることを特徴とする、請求項３に記載のモジュール式コネクタ。
【請求項５】
前記傾斜部は、傾斜方向に沿って傾斜しており、前記定位溝に収容されていることを特徴とする、請求項３に記載のモジュール式コネクタ。
【請求項６】
更に、前記定位溝に収容されている定位子を含み、前記定位子には、前記傾斜部の少なくとも一部が埋め込まれていることを特徴とする、請求項３に記載のモジュール式コネクタ。
【請求項７】
前記接触部は、前記舌板から外部に露出する接触面を有することを特徴とする、請求項１に記載のモジュール式コネクタ。
【請求項８】
前記導電端子は、更に、取り付け部を含み、前記取り付け部は、前記底面と前記リア端面との境界の近傍に位置されており、前記傾斜部の一端から伸び出していることを特徴とする、請求項１に記載のモジュール式コネクタ。
【請求項９】
前記モジュール子には補助アームが設けられており、前記補助アームは、前記フロント端面から伸び方向に沿って伸び出しており、前記金属ケースの周面と接触していることを特徴とする、請求項１に記載のモジュール式コネクタ。
【請求項１０】
前記モジュール子の組合溝の側壁には係止突起が設けられており、前記ベース部にはサイド端面が設けられており、前記サイド端面には係合突起が設けられており、前記係止突起と前記係合突起とが互いに係合していることを特徴とする、請求項１に記載のモジュール式コネクタ。
【考案の詳細な説明】
【技術分野】
【０００１】
本考案は、コネクタに関し、特に、モジュール式コネクタに関するものである。
【背景技術】
【０００２】
パーソナルコンピュータやテレビなどの電子製品は、ケーシングにコネクタを設けることが一般であり、コネクタにより周辺装置と通信することができる。
【０００３】
従来のコネクタ１００ａの作製方法は、図１に示すように、まず、絶縁本体１１０ａを作製して、絶縁本体１１０ａ内には溝１１１ａが複数に設けられ、次に、絶縁本体１１０ａに設けられた複数の溝１１１ａに、複数の導電端子１２０ａをそれぞれ挿入して、絶縁本体１１０ａを金属ケース１３０ａに入れることである。
【０００４】
しかし、これらの導電端子１２０ａを複数の溝１１１ａに挿入しているときに、これら導電端子１２０ａのうちの何れか一つが不揃うと、これらの導電端子１２０ａの挿入作業が失敗し、このようなコネクタ１００ａが不良品になり、生産ロスが増加する。
【０００５】
また、金属ケース１３０ａは、相違する仕様によって構造を変更することがよくあり、金属ケース１３０ａの構造を変更することが必要である場合には、作製された絶縁本体１１０ａ及び金属ケース１３０ａを廃棄することがやむ得なくなる。一方、絶縁本体１１０ａを作製するための金型を別に作製することが必要であるので、作製コストが増加する。
【考案の概要】
【考案が解決しようとする課題】
【０００６】
本考案の目的は、絶縁本体に組合せるモジュール子が金属ケースの仕様の変更に対応して変更することができ、そして導電端子が絶縁本体に埋め込まれるので、絶縁本体に導電端子を挿入することによる損壊を回避することができ、且つ絶縁本体と導電端子とを予め作製することができるので、生産速度を向上することができるモジュール式コネクタを提供することにある。
【課題を解決するための手段】
【０００７】
請求項１の考案は、モジュール子と、絶縁本体と、複数の導電端子と、金属ケースと、を含むモジュール式コネクタにおいて、
前記モジュール子は、組合方向に沿って伸びているフロント端面と、前記フロント端面に対応するリア端面と、前記フロント端面と前記リア端面とに連接する底面と、を有し、前記底面の前記フロント端面に近接する箇所では内側に窪んだ組合溝が形成されており、前記フロント端面には前記組合溝と連通する開口が設けられており、
前記絶縁本体は、前記組合溝の内部に組み合われたベース部と、前記ベース部から伸び方向に沿って伸びている舌板と、を含み、
前記複数の導電端子は、前記舌板に埋め込まれるように成形された接触部と、前記接触部の一端から伸び出している傾斜部と、をそれぞれ含み、
前記金属ケースは、前記モジュール子の周面に組み付けられていることを特徴とする
モジュール式コネクタとしている。
請求項２の考案は、更に、定位子を含み、前記定位子には前記傾斜部の少なくとも一部が埋め込まれていることを特徴とする、請求項１に記載のモジュール式コネクタとしている。
請求項３の考案は、前記底面の前記リア端面に近接する箇所では内側に窪んだ定位溝が形成されており、前記定位溝が前記組合溝と連通していることを特徴とする、請求項１に記載のモジュール式コネクタとしている。
請求項４の考案は、前記定位溝の底部には、傾斜方向に沿って傾斜している傾斜面が設けられていることを特徴とする、請求項３に記載のモジュール式コネクタとしている。
請求項５の考案は、前記傾斜部は、傾斜方向に沿って傾斜しており、前記定位溝に収容されていることを特徴とする、請求項３に記載のモジュール式コネクタとしている。
請求項６の考案は、更に、前記定位溝に収容されている定位子を含み、前記定位子には、前記傾斜部の少なくとも一部が埋め込まれていることを特徴とする、請求項３に記載のモジュール式コネクタとしている。
請求項７の考案は、前記接触部は、前記舌板から外部に露出する接触面を有することを特徴とする、請求項１に記載のモジュール式コネクタとしている。
請求項８の考案は、前記導電端子は、更に、取り付け部を含み、前記取り付け部は、前記底面と前記リア端面との境界の近傍に位置されており、前記傾斜部の一端から伸び出していることを特徴とする、請求項１に記載のモジュール式コネクタとしている。
請求項９の考案は、前記モジュール子には補助アームが設けられており、前記補助アームは、前記フロント端面から伸び方向に沿って伸び出しており、前記金属ケースの周面と接触していることを特徴とする、請求項１に記載のモジュール式コネクタとしている。
請求項１０の考案は、前記モジュール子の組合溝の側壁には係止突起が設けられており、前記ベース部にはサイド端面が設けられており、前記サイド端面には係合突起が設けられており、前記係止突起と前記係合突起とが互いに係合していることを特徴とする、請求項１に記載のモジュール式コネクタとしている。
【考案の効果】
【０００８】
本考案のモジュール式コネクタによれば、絶縁本体に組合せるモジュール子が金属ケースの仕様の変更に対応して変更することができ、絶縁本体に導電端子を挿入することによる損壊を回避することができ、生産速度を向上することができるという効果を有する。
【図面の簡単な説明】
【０００９】
【図１】従来のコネクタの組合状態の模式図である。
【図２】本考案に係るモジュール式コネクタの組合状態の斜視図である。
【図３】本考案に係るモジュール式コネクタの分解斜視図である。
【図４】図３の別の視点から見た分解斜視図である。
【図５】本考案に係る端子プレートの平面図である。
【図６】図５における端子プレートに絶縁本体と定位子とを埋め込んだ状態の模式図である。
【図７】本考案に係るモジュール子と絶縁本体との組合方法を示す模式図である。
【図８】本考案に係るモジュール子と絶縁本体との組合方法を示す模式図である。
【考案を実施するための形態】
【００１０】
以下、本考案の実施の形態を図面に基づいて説明する。
まず、図２乃至図４を参照する。図２は本考案に係るモジュール式コネクタ１０００の組合状態の斜視図であり、図３は本考案に係るモジュール式コネクタ１０００の分解斜視図であり、図４は図３の別の視点から見た分解斜視図である。本考案に係るモジュール式コネクタ１０００は、モジュール子１００と、絶縁本体２００と、定位子３００と、複数の導電端子４００と、金属ケース５００と、を含む。
【００１１】
モジュール子１００は、射出成形によって成形された絶縁体であり、組合方向Ｄ１に沿って伸びているフロント端面１０１と、フロント端面１０１に対応するリア端面１０２と、フロント端面１０１とリア端面１０２とに連接する底面１０３と、フロント端面１０１とリア端面１０２とに連接し底面１０３に対応する上面１０４と、フロント端面１０１とリア端面１０２とに連接し組合方向Ｄ１に沿って伸びているサイド端面１０５と、を有する。底面１０３のフロント端面１０１に近接する箇所では内側に窪んだ組合溝１０７が形成されており、フロント端面１０１には組合溝１０７と連通する開口１０６が設けられている。底面１０３のリア端面１０２に近接する箇所では内側に窪んだ定位溝１０８が形成されており、定位溝１０８が組合溝１０７と連通している。組合溝１０７の側壁には係止突起１０７１が設けられている。定位溝１０８の底部には、傾斜方向Ｄ３に沿って傾斜している傾斜面１０９が設けられている。
【００１２】
モジュール子１００には、更に、補助アーム１１０と、第一規制突起１２０と、第二規制突起１３０と、第一規制溝１４０と、第二規制溝１５０と、を含む。
【００１３】
補助アーム１１０は、フロント端面１０１から伸び方向に沿って伸び出しており、金属ケース５００へのモジュール子１００の固定の補助とされる。第一規制突起１２０は、サイド端面１０５に設けられており、伸び方向Ｄ２に沿って伸び出している。第二規制突起１３０は、上面１０４とサイド端面１０５との境界の近傍に設けられており、伸び方向Ｄ２に沿って伸び出している。第一規制溝１４０は、上面１０４とリア端面１０２との境界の近傍に設けられている。第二規制溝１５０は、上面１０４とフロント端面１０１との境界の近傍に設けられている。
【００１４】
絶縁本体２００は、ベース部２１０と、舌板２２０と、を含む。ベース部２１０は、フロント端面２１１と、フロント端面２１１に対応するリア端面２１２と、フロント端面２１１とリア端面２１２とに連接するサイド端面２１３と、を有し、フロント端面２１１とリア端面２１２とサイド端面２１３とが相互に平行しており組合方向Ｄ１に沿って伸びている。サイド端面２１３には、内側に窪んだ案内溝２１３１が形成されており、案内溝２１３１の底部には係合突起２１３２が設けられている。舌板２２０はフロント端面２１１から伸び方向Ｄ２に沿って伸び出している。
【００１５】
絶縁本体２００にモジュール子１００を組み合う場合には、ベース部２１０が組合溝１０７に組合されている。このとき、モジュール子１００の係止突起１０７１が案内溝２１３１に沿ってスライドする。係止突起１０７１が定位箇所に到達するときには、係止突起１０７１と係合突起２１３２とが互いに係合しており、これにより、モジュール子１００と絶縁本体２００とが固定される。
【００１６】
定位子３００は、射出形成によって作製されたものであり、リア端面１０２又は底面１０３の近傍に設けられており、定位溝１０８に収容され、定位溝１０８の側壁又は底面１０３に当接しており、これら導電端子４００の固定の補助とされる。
【００１７】
複数の導電端子４００は、舌板２２０に埋め込まれるように成形された接触部４１０と、接触部４１０の一端から伸び出している傾斜部４２０と、取り付け部４３０と、をそれぞれ含む。接触部４１０は、舌板２２０から外部に露出する接触面４１１を有する。本実施例では、導電端子４００は、更に、接触部４１０ａを含み、接触部４１０ａの接触面４１１ａが舌板２２０の底面１０３から外部に露出しており、なお、接触部４１０の接触面４１１が舌板２２０の上面１０４から外部に露出している。接触部４１０と接触部４１０ａとを交錯に排列してもよい。
【００１８】
傾斜部４２０は、接触部４１０の一端から傾斜方向Ｄ３に沿って傾斜しており、定位溝１０８に収容されており、その少なくとも一部が定位子３００に埋め込まれている。別の実施例では、傾斜方向Ｄ３が伸び方向Ｄ２に垂直してもいいし、平行してもよい。
【００１９】
傾斜部４２０と接触部４１０との開角は９０度よりも大きいので、従来の９０度に湾折されたものよりも、伝送品質を良く確保することができる。且つ傾斜部４２０と接触部４１０との開角は、仕様によって必要の角度に湾折されてもよい。
【００２０】
取り付け部４３０は、リア端面１０２と底面１０３との境界の近傍に設けられており、傾斜部４２０の一端から伸び出しており、取り付け部４３０と傾斜部４２０との開角は９０度よりも大きいので、従来の９０度に湾折されたものよりも、伝送品質を良く確保することができる。
【００２１】
金属ケース５００は、金属シートをプレス加工によって湾折されたものであり、絶縁本体２００の周面に組み付けられている。金属ケース５００には、フロント開口５１０と、フロント開口５１０に対応するリア開口５２０と、が設けられている。図２に示すように、金属ケース５００と、絶縁本体２００のベース部２１０と、舌板２２０と、からコネクタを挿入可能の挿入空間５３０が形成される。
【００２２】
金属ケース５００には、第一係り溝５４０と、第二係り溝５５０と、第一規制子５６０と、第二規制子５７０と、が設けられている。第一係り溝５４０は、金属ケース５００の側面に設けられており、伸び方向Ｄ２に沿って伸びており、モジュール子１００と金属ケース５００とを組み合うと、第一規制突起１２０が第一係り溝５４０と係合しており、補助アーム１１０が金属ケース５００の周面と接触している。第二係り溝５５０は、金属ケース５００の側面と上面との境界に設けられており、伸び方向Ｄ２に沿って伸びており、モジュール子１００と金属ケース５００とを組み合うと、第二規制突起１３０が第二係り溝５５０と係合している。
【００２３】
第一規制子５６０は、金属ケース５００の上面に設けられており、リア開口５２０に隣接しており、モジュール子１００と金属ケース５００とを組み合うと、第一規制子５６０が第一規制溝１４０に収容されている。第二規制子５７０は、金属ケース５００の上面に設けられており、モジュール子１００と金属ケース５００とを組み合うと、第二規制子５７０が第二規制溝１５０に収容されている。
【００２４】
次に、本考案に係るモジュール式コネクタの作製方法及び組付方法を説明する。図５を参照する。図５は本考案に係る端子プレート６００の平面図である。本考案に係る導電端子４００は、プレス加工によって端子プレート６００を切断して湾折することにより作製されたものである。端子プレート６００は、これらの導電端子４００と、連接プレート６１０、６２０と、を含む。連接プレート６１０、６２０は導電端子４００の両端に設けられている。
【００２５】
次に、図６を参照する。端子プレート６００に絶縁本体２００と定位子３００とを直接に埋め込むように成形した後、端子プレート６００を切断したと、導電端子４００が連接プレートと連接している。成形時に絶縁本体２００同士が相互に連接しなくするために、連接プレート６１０、６２０の幅を最小幅ｈ１よりも大きくすることが必要である。モジュール子１００と絶縁本体２００とを組み合う方式を採用することにより、絶縁本体２００の幅がモジュール子１００の幅よりも小さいので、連接プレート６１０、６２０の幅を減少することができ、生産コストを低減することができる。
【００２６】
次に、図７を参照する。図７は本考案に係るモジュール子１００と絶縁本体２００との組合方法を示す模式図であって、湾折されていない導電端子４００が連接プレート６２０と連接している。モジュール子１００が組合方向Ｄ１に沿って押下げられることにより、ベース部がモジュール子１００の組合溝１０７（図４を参照）に収容され、このとき、導電端子４００の傾斜部４２０と取り付け部４３０とを同時に湾折することができる。
【００２７】
最後に、導電端子４００と連接している連接プレート６２０を切断したと、図８に示すような完成品を得ることができる。このとき、導電端子４００の傾斜部４２０がモジュール子１００に圧制されているので、傾斜部４２０がモジュール子１００に押し付けており、そうすると、これらの導電端子４００が整然に揃っているようになる。
【００２８】
導電端子４００に定位子３００及び/又は絶縁本体２００（図２を参照）を埋め込むように成形して、連接プレート６１０、６２０を切断することにより、これらの導電端子４００が整然に揃っているようになる。
【００２９】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００３０】
１００ａ  コネクタ
１１０ａ  絶縁本体
１１１ａ  溝
１２０ａ  導電端子
１３０ａ  金属ケース
１０００  モジュール式コネクタ
１００  モジュール子
１０１  フロント端面
１０２  リア端面
１０３  底面
１０４  上面
１０５  サイド端面
１０６  開口
１０７  組合溝
１０７１  係止突起
１０８  定位溝
１０９  傾斜面
１１０  補助アーム
１２０  第一規制突起
１３０  第二規制突起
１４０  第一規制溝
１５０  第二規制溝
２００  絶縁本体
２１０  ベース部
２１１  フロント端面
２１２  リア端面
２１３  サイド端面
２１３１  案内溝
２１３２  係合突起
２２０  舌板
３００  定位子
４００  導電端子
４１０、４１０ａ  接触部
４１１、４１１ａ  接触面
４２０  傾斜部
４３０  取り付け部
５００  金属ケース
５１０  フロント開口
５２０  リア開口
５３０  挿入空間
５４０  第一係り溝
５５０  第二係り溝
５６０  第一規制子
５７０  第二規制子
６００  端子プレート
６１０、６２０  連接プレート
Ｄ１  組合方向
Ｄ２  伸び方向
Ｄ３  傾斜方向
ｈ１  最小幅
【図１】
0003149966.tif 000003
【図２】
0003149966.tif 000004
【図３】
0003149966.tif 000005
【図４】
0003149966.tif 000006
【図５】
0003149966.tif 000007
【図６】
0003149966.tif 000008
【図７】
0003149966.tif 000009
【図８】
0003149966.tif 000010